(57)【特許請求の範囲】
【請求項１】
光学レンズを備えた可動部と、前記可動部とは少なくとも２本のサスペンションワイヤを介して接続する保持部を備えた固定部とを備え、電磁駆動手段によって前記可動部を前記固定部に対して相対移動させる光ピックアップアクチュエータにおいて、前記固定部は、アクチュエータベースとダンパーベース部とを備え、前記保持部は、前記アクチュエータベースと前記ダンパーベース部との境界部に形成されるとともに前記サスペンションワイヤが挿通され、前記サスペンションワイヤの前記可動部側から外方に向かう長さ方向に沿う両端にそれぞれ設けられた一対の溝と、前記一対の溝の間に設けられた貫通孔とを備え、前記可動部側の溝にダンパー材を設けて前記サスペンションワイヤの支持部としたことを特徴とする光ピックアップアクチュエータ。
【請求項２】
請求項１記載の光ピックアップアクチュエータにおいて、前記溝はＵ字形状を備えていることを特徴とする光ピックアップアクチュエータ。
【請求項３】
請求項１又は２記載の光ピックアップアクチュエータにおいて、前記ダンパー材は、前記溝内に注入されたシリコーンゲルからなることを特徴とする光ピックアップアクチュエータ。
【請求項４】
請求項１乃至３の内のいずれか一つに記載の光ピックアップアクチュエータを備えていることを特徴とする光ピックアップ。
【発明の詳細な説明】
【０００１】
【発明の属する技術分野】
本発明は、光学記録・読取式ディスクドライブに用いられる光ピックアップ及び光ピックアップアクチュエータに関する。
【０００２】
【従来の技術】
従来、光学記録読取式のディスクとして、ＣＤ−ＲＯＭ，ＣＤ−Ｒ，ＣＤ−ＲＷ，ＤＶＤ−Ｒ、ＤＶＤ−ＲＷ，ＤＶＤ−ＲＡＭ、ＤＶＤ−ＲＯＭ等のディスクがあり、これらのディスクに対して書き込み読み取りを行う光ディスクドライブがある。
【０００３】
光ディスクドライブは、各種のディスクにレーザ素子からのビームを集光させ、ディスク一面に記録された情報、または、情報を記録するために光ピックアップを用いている。
【０００４】
光ピックアップは、レーザ素子と、レーザ素子からのビームをディスク一面に集光させ、一面からのビームを受光素子を備えた光情報検出器に導く光案内手段とを備えている。この光案内手段は、光ピックアップアクチュエータを備えている。
【０００５】
図９は従来技術による光ピックアップアクチュエータの平面図である。図１０は図９の光ピックアップアクチュエータの底面図である。図１１（ａ）は図９の保持部の部分拡大断面図、図１１（ｂ）は図１１（ａ）のＢ部分の断面図である。
【０００６】
図９乃至図１１（ａ）及び（ｂ）を参照すると、従来技術による光ピックアップアクチュエータ（以下、単にアクチュエータと呼ぶ）１００は、固定部１２０と、可動部１３０とを備えている。固定部１２０は、中央部に角型の孔部からなる収容部１２４を備えた口の字状のアクチュエータベース１２１と、アクチュエータベース１２１の下部に設けられたダンパーベース部１２２とを備えている。ダンパーベース部１２２の端部に基板１２６が設けられている。
【０００７】
固定部１２０の収容部１２４の両端には、コの字状のヨーク１１２，１１３が一板体側をそれぞれ埋設して、断面カップ状となるように、他側の板体を互いに対向して設けられている。また、一板側の内側面には、板状の永久磁石１１４，１１５が夫々設けられている。
【０００８】
可動部１３０は、対物レンズ１１１と、対物レンズ１１１を保持固定する四角形のレンズホルダー１３１と、レンズホルダー１３１の両側に夫々上下２本づつ設けられたサスペンションワイヤ１２５とを備えている。
【０００９】
レンズホルダー１３１の対物レンズ１１１を介して両端付近に四角形の細長い貫通孔１３２，１３２が夫々設けられ、これらにヨーク１１２，１１３の他側の板体が挿入されている。また、レンズホルダー１３１の上下端面の両側には、トラキングのためのコイル１１６が夫々設けられ、レンズホルダー１３１の側周面に巻きつけられたフォーカシングのためのコイルが設けられている。
【００１０】
レンズホルダー１３１の中央部の両側には、上下に突出部１３３が設けられ、また、一端側の両側には、上下に突起部１３４が夫々設けられている。サスペンションワイヤ１２５は、一端が突起部１３４に当接し、突出部１３３を貫通して、ダンパーベース部１２２、基板１２６を貫通して外部に至っている。
【００１１】
図１１（ａ）及び図１１（ｂ）に最も良く示されるように、ダンパーベース部１２２は、図１１（ｂ）に示すように、断面楕円状の貫通孔１５１からなる。
【００１２】
サスペンションワイヤ１２５は、貫通孔１５１から基板１２６の外部へと延びている。
【００１３】
更に、貫通孔１５１に夫々シリコーンゲル等のタンパー材１５６が夫々充填されて、光アクチュエータの支持構造が完成される。
【００１４】
【発明が解決しようとする課題】
しかしながら、従来技術による光ピックアップアクチュエータにおいては、保持部の断面長円形状の貫通孔１５１にサスペンションワイヤ１２５を通し、そこにダンパー材１５６を注入していたために、多くのダンパー材が必要となり、作業の複雑さも伴うために、これが製造コストに跳ね返っていた。
【００１５】
そこで、本発明の技術的課題は、ダンパー材の使用量を減らすことができ、その作業量も減らすことができるので、製造コストを下げることができる光ピックアップアクチュエータを提供することにある。
【００１６】
【課題を解決するための手段】
本発明によれば、光学レンズ（１１）を備えた可動部（３０）と、前記可動部とは少なくとも２本のサスペンションワイヤ（２５）を介して接続する保持部（２３）を備えた固定部（２０）とを備え、電磁駆動手段によって前記可動部（３０）を前記固定部（２０）に対して相対移動させる光ピックアップアクチュエータ（１０）において、前記固定部（２０）は、アクチュエータベース（２１）とダンパーベース部（２２）とを備え、前記保持部（２３）は、前記アクチュエータベース（２１）と前記ダンパーベース部（２２）との境界部に形成されるとともに前記サスペンションワイヤ（２５）が挿通され、前記サスペンションワイヤの前記可動部（３０）側から外方に向かう長さ方向に沿う両端にそれぞれ設けられた一対の溝（１ａ，３）と、前記一対の溝の間に設けられた貫通孔（２）とを備え、前記可動部（３０）側の溝（１ａ）にダンパー材（６）を設けて前記サスペンションワイヤ（２５）の支持部（１）としたことを特徴とする光ピックアップアクチュエータが得られる。
【００１７】
また、本発明によれば、前記光ピックアップアクチュエータ（１０）において、前記溝（１ａ）はＵ字形状を備えていることを特徴とする光ピックアップアクチュエータ（１０）が得られる。
【００１８】
また、本発明によれば、前記いずれかの光ピックアップアクチュエータ（１０）において、前記ダンパー材（６）は、前記溝（１ａ）内に注入されたシリコーンゲルからなることを特徴とする光ピックアップアクチュエータ（１０）が得られる。
【００１９】
さらに、本発明によれば、前記いずれか一つの光ピックアップアクチュエータ（１０）を備えていることを特徴とする光ピックアップ（５０）が得られる。
【００２０】
尚、上記括弧内の符号は理解を容易にするために付したものであり、一例に過ぎず、これらに限定されるものではない。
【００２１】
【発明の実施の形態】
以下、本発明の実施の形態について図面を参照しながら説明する。
【００２２】
図１は本発明の実施の形態による光ピックアップを示す平面図、図２は図１の光ピックアップの側面図、図３は図１の光ピックアップの裏面図、図４は図１の光ピックアップの平面図である。
【００２３】
図１乃至図４を参照すると、光ピックアップ５０は、光ピックアップアクチュエータ１０と、これを固定する光学ベース部５１と、光学ベース部５１の側面に配置された基板５２と、発光素子（半導体レーザ）と、光学ベース部５１の裏面側に配置された受光素子（ＰＤ−ＩＣ）５４とを備えている。
【００２４】
基板５２の下端には、光ピックアップ５０が設けられる本体装置のメイン基板に電気接続するためのコネクタ５５が設けられている。また、光学ベース部５１の両端には、光ピックアップ５０の駆動をガイドするガイドシャフト５６が貫通するガイドシャフト取付部５７，５８が設けられている。尚、２点鎖線によって示された斜線部分がガイドシャフト５６で、光ピックアップは、このガイドシャフト５６に沿って移動可能に設けられている。
【００２５】
図５は本発明の実施の形態による光ピックアップアクチュエータの斜視図である。図６は図５の光ピックアップアクチュエータの平面図である。図７は図５の光ピックアップアクチュエータの底面図である。図８は図５の光ピックアップアクチュエータのサスペンションワイヤの支持部を示す部分拡大図である。
【００２６】
図５乃至図８を参照すると、本発明の実施の形態による光ピックアップアクチュエータ（以下、単にアクチュエータと呼ぶ）１０は、固定部２０と、可動部３０とを備えている。固定部２０は、コの字状のアクチュエータベース２１と、アクチュエータベース２１の端部を接続するように設けられたダンパーベース部２２とを備え、これらは保持部２３を介して一体に設けられ、中央部に角型の孔部からなる収容部２４を構成している。固定部２０の収容部２４の両端には、コの字状のヨーク１２，１３が一板体側をそれぞれ埋設して、断面カップ状となるように、他側の板体を互いに対向して設けられている。また、一板側の内側面には、板状の永久磁石１３，１４が夫々設けられている。
【００２７】
可動部３０は、対物レンズ１１と、対物レンズ１１を保持固定する四角形のレンズホルダー３１と、レンズホルダー３１の両側に夫々上下２本づつ設けられたサスペンションワイヤ２５とを備えている。
【００２８】
レンズホルダー３１の対物レンズを介して両端付近に四角形の細長い貫通孔３２，３２が夫々設けられ、これらにヨーク１２，１３の他側の板体が挿入されている。また、レンズホルダー３１の上下端面の両側には、トラキングのためのコイル１６が夫々設けられ、レンズホルダー１３１の側周面に巻きつけられてフォーカシングのためのコイルが設けられている。
【００２９】
レンズホルダー３１の中央部の両側には、上下に突出部３３が設けられ、また、一端側の両側には、上下に突起部３４が夫々設けられている。突出部には、略四角形の貫通孔３３ａが夫々設けられている。サスペンションワイヤ２５は、一端が突起部３４に当接し、貫通孔３３ａを貫通して、保持部２３を貫通して外部に至っている。
【００３０】
保持部２３は、アクチュエータベース部２３とダンパーベース部２２の境界部に夫々設けられている。
【００３１】
保持部２３は図８に示すように、Ｕ字形状の断面を備えた溝１ａを有する支持部１と、アクチュエータベース２１を対物レンズ１１１の光軸方向に貫通させた細長い四角形の貫通孔２と、貫通孔２に仕切り壁４を介して設けられた四角形の溝３とを有している。仕切り壁４には貫通穴４ａが設けられている。サスペンションワイヤ２５は、Ｕ字形の溝１ａ，貫通孔２、貫通穴４ａ及び溝３を夫々通って外部へと延びている。
【００３２】
更に、溝１ａに夫々シリコーンゲル等のタンパー材６が夫々充填され、溝３にはサスペンションワイヤ固定用の接着剤７が塗布され、サスペンションワイヤが支持固定される。
【００３３】
このような構造の光ピックアップアクチュエータにおいては、可動部３０はサスペンションワイヤ２５を介して固定部２０の保持部２３に支持されているので、コイル１５への通電に応じて、可動部３０は固定部２０に対して相対的な略垂直水平方向に移動して、所望する位置に停止される。
【００３４】
このように、本発明の実施の形態においては、サスペンションワイヤ２５を保持するために、Ｕ字溝１にダンパー材６を充填するだけであり、その使用量を少なくすることができる。
【００３５】
【発明の効果】
以上説明したように、本発明によれば、ダンパー材の使用量を減らすことができ、その作業量も減らすことができるので、製造コストを下げることができる光ピックアップアクチュエータを提供することができる。
【図面の簡単な説明】
【図１】本発明の実施の形態による光ピックアップを示す平面図である。
【図２】図１の光ピックアップの側面図である。
【図３】図１の光ピックアップの裏面図である。
【図４】図１の光ピックアップの平面図である。
【図５】本発明の実施の形態による光ピックアップアクチュエータの斜視図である。
【図６】図１の光ピックアップアクチュエータの平面図である。
【図７】図１の光ピックアップアクチュエータの底面図である。
【図８】図５の光ピックアップアクチュエータのサスペンションワイヤの支持部の拡大断面図である。
【図９】従来技術による光ピックアップアクチュエータの平面図である。
【図１０】図９の光ピックアップアクチュエータの底面図である。
【図１１】（ａ）は図９の保持部の部分拡大斜視図である。
（ｂ）は図１１（ａ）のＢ部分の断面図である。
【符号の説明】
１    支持部
１ａ    溝
２    貫通孔
３    溝
４    仕切り壁
６    ダンパー材
７    接着材
１０    光ピックアップアクチュエータ
１１    対物レンズ
１２，１３    ヨーク
１４，１５    永久磁石
１６    コイル
２０    固定部
２１    アクチュエータベース
２２    ダンパーベース部
２３    保持部
２４    収容部
２５    サスペンションワイヤ
３０    可動部
３１    レンズホルダー
３２    貫通孔
３３    突出部
３３ａ    貫通孔
３４    突起部
５０    光ピックアップ
５１    光学ベース部
５２    基板
５３ａ    発光素子（半導体レーザ）
５４    受光素子（ＰＤ−ＩＣ）
５５    コネクタ
５６    ガイドシャフト
５７，５８    ガイドシャフト取付部
１００    光ピックアップアクチュエータ
１１１    対物レンズ
１１２，１１３    ヨーク
１１４，１１５    永久磁石
１１６    コイル
１２０    固定部
１２１    アクチュエータベース
１２２    ダンパーベース部
１２４    収容部
１２５  サスペンションワイヤ
１２６    基板
１３０    可動部
１３１    レンズホルダー
１３２    貫通孔
１３３    突出部
１３４    突起部
１５１    貫通孔
１５６    ダンパー材
【図１】
0003824067.tif 000002
【図２】
0003824067.tif 000003
【図３】
0003824067.tif 000004
【図４】
0003824067.tif 000005
【図５】
0003824067.tif 000006
【図６】
0003824067.tif 000007
【図７】
0003824067.tif 000008
【図８】
0003824067.tif 000009
【図９】
0003824067.tif 000010
【図１０】
0003824067.tif 000011
【図１１】
0003824067.tif 000012